(57)【要約】【課題】  住宅周りのコンクリート層を補強する鉄筋を、基礎コンクリートや鋼製型枠に穴を開けることなく簡易かつ確実に水平に支持することができる鉄筋支持用インサートを提供する。【解決手段】  鉄筋支持用インサート１０は、金属製のストレートな棒状で軸方向両端間を貫通するねじ溝を有する軸穴１２ａを設けた基部１２と、基部１２の軸方向一端にて軸穴１２ａを囲んで同軸状に固定された環状の取付部１３と、取付部１３内に挿入されて軸穴１２ａを囲んで固定された磁石１４とからなる本体１１と、基部１２の軸方向他端側にて軸穴１２ａに螺着されるボルト１５とにより構成される。【選択図】    図１
2006112224.tif 000002
【特許請求の範囲】
【請求項１】
ストレートな棒状であって軸方向両端間を貫通する軸穴を設けた基部と、該基部の軸方向一端にて該軸穴の周囲に固定された環状の取付部と、該軸穴の周囲にて該取付部に固定された磁石とを備え、該取付部側にて鋼製型枠に着脱可能に取り付けられることを特徴とする鉄筋支持用インサート。
【請求項２】
前記磁石が、前記取付部に着脱可能にされたことを特徴とする前記請求項１に記載の鉄筋支持用インサート。
【請求項３】
前記取付部が、前記基部に固定された環状の底板部と、該底板部外周縁に一体で設けられて該基部の反対方向に延びる筒壁部とにより構成されており、前記磁石が前記取付部内に配置されたことを特徴とする前記請求項１又は２に記載の鉄筋支持用インサート。
【請求項４】
前記基部及び／又は取付部のコンクリートとの接触面に、コンクリートとの密着を高める密着手段を設けたことを特徴とする前記請求項１から３のいずれか１項に記載の鉄筋支持用インサート。
【請求項５】
前記基部の軸方向他端にて前記軸穴に装着されて該軸穴を塞ぐ封止部材を設けたことを特徴とする前記請求項１から４のいずれか１項に記載の鉄筋支持用インサート。
【請求項６】
前記封止部材がボルトであり、前記基部の軸穴に該ボルトが螺着されるねじ溝を設けたことを特徴とする前記請求項５に記載の鉄筋支持用インサート。
【請求項７】
前記封止部材のコンクリートとの接触面に、コンクリートとの密着を高める密着手段を設けたことを特徴とする前記請求項５叉は６に記載の鉄筋支持用インサート。
【請求項８】
前記取付部に釘孔を設けたことを特徴とする前記請求項１から７のいずれか１項に記載の鉄筋支持用インサート。
【発明の詳細な説明】
【技術分野】
【０００１】
本発明は、住宅の基礎コンクリート等から延びる住宅周りの犬走り、玄関土間、テラス土間等のコンクリート層を補強する鉄筋を水平に支持する鉄筋支持用インサートに関する。
【背景技術】
【０００２】
従来、この種のコンクリート層を補強する鉄筋について、コンクリート打設前に簡易に支持する鉄筋支持方法が求められていた。例えば、基礎コンクリートに穴を開けて、これに差し込んで固定するような方法が行われていた。しかし、この方法では、基礎コンクリートに穴を開けること自体好ましいことではなく、また穴を開ける手間も大きいものであった。これに対して、基礎コンクリートの打設に使用される鋼製型枠に穴を開け、コンクリート打設前に鉄筋を穴に挿入しておき、あるいは基礎コンクリート打設部分に配置された鉄筋を穴を通して外部に延長させる方法もあった。しかし、鋼製型枠の規定位置に穴を開けること自体が煩雑であり、また穴を開けた鋼製型枠については鉄筋支持以外の箇所では使用し難くなるという問題もある。
【発明の開示】
【発明が解決しようとする課題】
【０００３】
本発明は、上記した問題を解決しようとするもので、住宅周りのコンクリート層を補強する鉄筋を、鋼製型枠や基礎コンクリートに穴を開けることなく簡易かつ確実に水平に支持することができる鉄筋支持用インサートを提供することを目的とする。
【課題を解決するための手段】
【０００４】
上記目的を達成するために、本発明の構成上の特徴は、ストレートな棒状であって軸方向両端間を貫通する軸穴を設けた基部と、基部の軸方向一端にて軸穴の周囲に固定された環状の取付部と、軸穴の周囲にて取付部に固定された磁石とを備え、取付部側にて鋼製型枠に着脱可能に取り付けられることにある。
【０００５】
上記のように構成した本発明においては、鉄筋支持用インサートの軸穴の他端側を、鋼製型枠間のコンクリート打設側に設けた鉄筋を挿入して封止しあるいは部材を用いて封止した状態で、軸方向一端側である取付部側にて磁石によって鋼製型枠に取り付けることにより、インサートが鋼製型枠に固定される。この状態で、コンクリートを打設し、コンクリート硬化後に鋼製型枠を外すことにより、鉄筋支持用インサートが軸穴をコンクリートで塞がれることなく基礎コンクリートに埋設されて、コンクリート表面に一端側が露出した状態にされる。この露出した軸穴に外側から鉄筋を挿入することにより、基礎コンクリート打設部分の外側に安定した状態で鉄筋を配設することができる。これにより、住宅周りの玄関土間用等のコンクリート層を補強する鉄筋を、基礎コンクリートや鋼製型枠に穴を開けることなく簡易かつ確実に水平に支持することができ、この鉄筋により住宅周りのコンクリート層を簡易にかつ安定して補強することができる。
【０００６】
また、本発明において、磁石が、取付部に着脱可能にされたものであってもよい。これにより、コンクリート打設後に、磁石を取り外すことができ、磁石の繰り返し使用が可能になるため、磁石のコストが低減する。
【０００７】
また、本発明において、取付部が、基部に固定された環状の底板部と、底板部外周縁に一体で設けられて基部の反対方向に延びる筒壁部とにより構成されており、磁石が取付部内に配置されたものであってもよい。これにより、磁石が取付部内に収容されて取付部に囲まれた状態で取付部に固定されるため、磁石の磁力が効率良く作用して、取付部の鋼製型枠への接着力が高められる。
【０００８】
また、本発明において、基部及び／又は取付部のコンクリートとの接触面に、コンクリートとの密着を高める密着手段を設けたものであってもよい。例えば、基部や取付部のコンクリートとの接触面に、外部に突出する羽根状の突出片を設けたり、接触面から凹んだ凹み部を設けたり、あるいは接触面を荒らした微細な凹凸状の面にすることができる。これにより、コンクリート打設後に、コンクリートから引張り力がインサートに加わるが、密着手段によりこの引張り力に対抗してインサート外壁面とコンクリートとの密着を高めることができる。
【０００９】
また、本発明において、基部の軸方向他端にて軸穴に装着されて軸穴を塞ぐ封止部材を設けることができる。これにより、コンクリート打設前に、インサートの軸方向他端側が封止部材で塞がれるため、型枠間に配置された鉄筋を利用しない場合でも、コンクリートの打設により、鉄筋支持用インサートが軸穴をコンクリートで塞がれることなく基礎コンクリートに埋設されて、コンクリート表面に一端側が露出した状態にされる。
【００１０】
また、本発明において、封止部材をボルトとし、基部の軸穴にボルトが螺着されるねじ溝を設けることができる。これにより、簡易且つ確実にインサートの軸方向他端側をボルトで塞ぐことができる。
【００１１】
また、本発明において、封止部材のコンクリートとの接触面にも、コンクリートとの密着を高める密着手段を設けることができる。例えば、封止部材のコンクリートとの接触面に、外部に突出する羽根状の突出片を設けたり、接触面から凹んだ凹み部を設けたり、あるいは接触面を荒らした微細な凹凸状の面にすることができる。これにより、コンクリート打設後に、コンクリートから引張り力がインサートに加わるが、密着手段によりこの引張り力に対抗してインサート外壁面とコンクリートとの密着を高めることができる。
【００１２】
また、本発明において、取付部に釘孔を設けることができる。これにより、鉄製の型枠の代わりに木製の型枠を使用する場合に、磁石を取り外したインサートの取付部を、木製の型枠に釘で固定することができる。そのため、本発明のインサートを、鋼製の型枠に対してのみでなく、木製の型枠にも使用することができるので、インサートの汎用性が高められる。
【発明の効果】
【００１３】
本発明によれば、鉄筋支持用インサートの軸穴の他端側を、鋼製型枠内の基礎コンクリート打設側に設けた鉄筋を挿入しあるいはボルト等の部材を用いて封止し、取付部側にて鋼製型枠に取り付けた状態で、コンクリートを打設し、基礎コンクリート表面に露出したインサートの軸穴に外側から鉄筋を挿入することにより、基礎コンクリート打設部分の外側に安定した状態で鉄筋を配設することができる。その結果、本発明においては、基礎コンクリートや鋼製型枠に穴を開けることなく、住宅周りのコンクリート層を補強する鉄筋を簡易かつ確実に水平に支持することができ、この鉄筋により、住宅周りのコンクリート層を簡易にかつ安定して補強することができる。また、本発明によれば、鉄筋支持のために基礎コンクリートや鋼製型枠に穴を開ける必要がないので、穴を開ける手間が不要になり、さらに基礎コンクリートの耐久性や鋼製型枠の汎用性が確保される。
【発明を実施するための最良の形態】
【００１４】
以下、本発明の一実施例について図面を用いて説明する。図１は実施例１である鉄筋支持用インサート１０（以下、インサートと記す）を一部破断正面図により概略的に示したものであり、図２，図３はインサートの本体を左側面部及び右側面図により示したものである。また、図４、図５はインサート１０の使用状態を一部破断面図及び断面図により示したものである。
【００１５】
インサート１０は、正六角形の金属棒で軸心を貫通した軸穴１２ａを有する基部１２と、基部１２の軸方向一端（図示左端）に同軸状に固定された金属板製の円形の浅い容器状の取付部１３と、取付部１３内に挿入された円環状の磁石１４とからなる本体１１と、基部１２の軸方向他端側（図示右端側）から螺合される別体のボルト１５を備えている。軸穴１２ａには、軸方向他端から中間位置にかけてねじ溝１２ｂが形成されており、ボルト１５のねじ部１５ａがねじ溝１２ｂに螺合されるようになっている。取付部１３は、中央に軸穴１２ａよりわずかに大きな径の中心穴１３ｂを有する円形の底板部１３ａと、底板部１３ａの外周縁に垂直に設けた円筒壁部１３ｃを一体で有している。取付部１３は、穴開き平板にプレス加工を施すことにより、安価に提供される。取付部１３は、底板部１３ａにて基部１２に溶接等により固定されて、円筒壁部１３ｃが基部１２の反対方向に延びるように配設されている。なお、基部１２については六角形に限らず他の多角形、円形、楕円形等であってもよい。また、取付部１３についても、円形に限らず、多角形、楕円形等であってもよい。
【００１６】
磁石１４は、外径が円筒壁部１３ｃよりわずかに小さく、中心に中心穴１３ｂよりわずかに径の大きい中心穴１４ａを有し、厚さが円筒壁部１３ｃの高さよりわずかに小さい円環板である。磁石１４は、底板部１３ａに着脱可能に固定されて、取付部１３内に収容されて取付部１３に囲まれている。そのため、磁石１４の磁力が有効に作用するようになっており、取付部１３の後述する鋼製型枠１７への取付強度が高められる。なお、磁石については、円環形の一体品に限らず、複数の小さな磁石片を集めて取付部１３に円環状に配列して固定するようにしてもよい。また、磁石１４は、底板部１３ａに接着剤により固定されてもよく、これにより安定した固定が可能になる。
【００１７】
つぎに、実施例１の動作について説明する。
インサート１０は、図４に示すように、基部１２他端側の軸穴１２ａ内にボルト１５が螺着された状態で、鋼製型枠（以下、型枠と記す）１７の内側面の所定位置に磁石１４の磁力によって固定される。この状態で、型枠１７内にコンクリートが打設され、基礎コンクリート１８が形成される。その後、型枠１７を取り外すことにより、基礎コンクリート１８表面にインサート１０の軸穴１２ａが露出し、軸穴１２ａ内はボルト１５によってコンクリート浸入が阻止されている。図５に示すように、軸穴１２ａ内に外部から外側鉄筋２１を確実に挿入でき、軸穴１２ａによって外側鉄筋２１が水平状態で保持される。これにより、住宅周りの犬走り、玄関土間、テラス土間等のコンクリート層を補強する外側鉄筋２１が、インサート１０によって簡易かつ確実に水平状態で支持される。そのため、この外側鉄筋２１により、住宅周りのコンクリート層を安定して補強することができる。また、従来のように基礎コンクリート１８や型枠１７に取付孔を開ける必要がないため、穴開けの手間が不要であり、さらに基礎コンクリート１８の耐久性や型枠１７の汎用性が確保される。なお、磁石１４については、取付部１３から取り外すことが可能であり、これにより、磁石１４を繰り返し使用できるため、磁石コストを低減できる。
【００１８】
つぎに、インサート１０の使用例の変形例１について、図６、図７により説明する。
変形例では、基礎コンクリート内に埋設された鉄筋の延長上に、住宅周辺のコンクリート層に埋設する鉄筋を設ける場合には、実施例に示したようなインサート１０のボルト１５を用いる必要が無くなる。すなわち、図６に示すように、型枠１７に固定する取付部１１の軸方向他端にボルト１５を螺着させることなく、鉄筋２２を直接挿入しておけばよいのである。これによりインサート１０の本体１１の軸穴１２ａが鉄筋２２で塞がれて、コンクリートの浸入が阻止されるので、軸穴１２ａがコンクリートで埋められることはない。そのため、型枠１７内にコンクリートを打設し、型枠１７を外した後、基礎コンクリート１８表面に露出した軸穴１２ａ内に外側から外側鉄筋２１を挿入することができる。変形例１によっても、基礎コンクリート１８や型枠１７に取付孔を開ける必要がないため、基礎コンクリート１８の耐久性や型枠１７の汎用性が確保される。
【００１９】
つぎに、インサート１０の変形例２について、図８により説明する。
変形例２では、インサート１０の本体１１の軸穴１２ａ他端側にボルト１５を螺合させる代わりに、軸部２５と頭部２６を有する封止部材２４を用い、軸部２５にて軸穴１２ａ他端側に圧入により挿嵌固定したものである。変形例２によっても、封止部材２４によって軸穴１２ａ内へのコンクリートの浸入を阻止できる。また、変形例２においては、実施例１と同様の効果が得られると共に、軸穴１２ａ他端側にねじ溝を設ける必要が無いので、本体１１を安価に提供することができる。なお、変形例２については、本体１１の軸穴１２ａにねじ溝を設けたものに対しても適用できる。
【００２０】
つぎに、インサート１０の変形例３について、図９により説明する。
変形例３では、インサート１０の本体１１の取付部１３の形状を円形の代わりに、取付部２７を四角形にし、さらに取付部２７内に２つの長方形の磁石３１を互いに隔てて取り付けたものである。取付部２７は、中央に軸穴１２ａよりわずかに大きな径の中心穴２８ａを有する長方形の底板部２８と、底板部２８の外周縁に垂直に設けた四角形の筒壁部２９を一体で有している。基部１２については実施例１と同様である。これにより、変形例３によっても、実施例１と同様の効果が得られると共に、磁石３１を分割できるので、磁石３１のコストが安価にされる。
【００２１】
つぎに、実施例２について、図１０により説明する。
実施例２では、インサート１０Ａの本体１１及びボルト１５のコンクリートとの接触面に、コンクリートとの密着を高める密着手段を設けたものである。密着手段として、本体１１の基部１２には、外面に互いに離間して突出した基部１２と同一材質である鉄製の多数の羽根状の突出片３４を設け、取付部１３外面は荒らされた微細な凹凸部３５を設け、さらにボルト１５の頭部１５ｂに外面から凹んだ複数の凹部３６を設けたものである。
【００２２】
実施例２においては、コンクリート打設により、コンクリートから引張り力がインサート１０Ａに加わるが、密着手段である突出片３４、凹凸部３５、凹部３６がコンクリートに密着することにより、コンクリートの引張り力に対抗してインサート外壁面とコンクリートとの密着を高めることができる。なお、突出片３４、凹凸部３５、凹部３６については、本体１１及びボルト１５の各部に対していずれか１つを用いてもよく、あるいはこれらを種々の組み合わせで用いてもよい。
【００２３】
つぎに、実施例３について、図１１，図１２により説明する。
実施例３では、実施例１のインサート１０において、本体１１の取付部１３の底板部１３ａの径方向の対向する２箇所に、釘穴３８を設けたものであり、その他の構成については実施例１と同様である。これにより、コンクリート打設のための型枠として木製の型枠を使用する場合、磁石１４を取り外した取付部１３を釘穴３８を通して図示しない釘により木製の型枠に固定することができる。そのため、実施例３では、インサートを、鋼製の型枠に対してのみでなく、木製の型枠にも使用することができるので、インサートの汎用性が高められる。なお、釘穴３８の数は２個に限らず１個あるいは複数個でもよく、また底板部１３ａへの配設箇所についても実施例３の配設位置に限らない。また、実施例３については、上記変形例や実施例２に対しても適用することができる。
【００２４】
なお、上記各実施例、変形例に示したインサートについては、本体の軸穴に型枠間に配設された鉄筋を挿入する場合を考慮して、軸穴は本体を貫通しているが、軸穴内に鉄筋を挿入する使用形態を考慮しない場合は、最初から軸穴の他端側を基部と一体で封止したインサートとすることも可能である。また、上記各実施例、変形例に示したインサートはいずれも鋼製の部材であるが、これに代えて樹脂製やＦＲＰ等の複合材料製の部材とすることも可能である。この場合、取付部に取り付けられる磁石については接着剤で固定する必要がある。また、上記実施例においては、インサートが、住宅のコンクリート層補強のための鉄筋の支持に用いられる場合について説明されているが、その他に例えば土木用メタルとしても使用される。その他、上記実施例に示したインサートについては一例であり、本発明の趣旨を逸脱しない範囲において種々変更して実施することができる。
【産業上の利用可能性】
【００２５】
本発明のインサートは、住宅周りのコンクリート層を補強する鉄筋を、基礎コンクリートや鋼製型枠に穴を開けることなく簡易かつ確実に水平に支持することができるので、有用である。
【図面の簡単な説明】
【００２６】
【図１】本発明の実施例１である鉄筋支持用インサートを示す一部破断正面図である。
【図２】同インサートの本体を示す左側面図である。
【図３】同インサートの本体を示す右側面図である。
【図４】同インサートの使用状態を示す一部破断面正面図である。
【図５】同インサートに鉄筋を挿入した状態を示す正面断面図である。
【図６】変形例１であるインサートの使用状態を示す一部破断正面図である。
【図７】同インサートに鉄筋を挿入した状態を示す正面断面図である。
【図８】変形例２であるインサートを示す一部破断正面図である。
【図９】変形例３であるインサートを示す左側面図である。
【図１０】実施例２であるインサートを示す一部破断正面図である。
【図１１】実施例３であるインサートの本体を示す一部破断正面図である。
【図１２】同インサートの本体を示す右側面図である。
【符号の説明】
【００２７】
１０，１０Ａ…鉄筋支持用インサート、１１…本体、１２…基部、１２ａ…軸穴、１２ｂ…ねじ溝、１３…取付部、１４…磁石、１５…ボルト、１７…鋼製型枠、１８…基礎コンクリート、２１…外側鉄筋、２２…鉄筋、２４…封止部材、２７…取付部、３１…磁石、３４…突出片、３５…凹凸部、３６…凹部、３８…釘穴。
【図１】
2006112224.tif 000003
【図２】
2006112224.tif 000004
【図３】
2006112224.tif 000005
【図４】
2006112224.tif 000006
【図５】
2006112224.tif 000007
【図６】
2006112224.tif 000008
【図７】
2006112224.tif 000009
【図８】
2006112224.tif 000010
【図９】
2006112224.tif 000011
【図１０】
2006112224.tif 000012
【図１１】
2006112224.tif 000013
【図１２】
2006112224.tif 000014